(57)【要約】【課題】食品が収納される蓋付きの主体容器と乾燥剤が充填されたフランジ付きの食品包装容器において、主体容器の底部にしっかりと嵌まった乾燥剤容器を簡易且つ確実に主体容器から取り出し、両容器を容易な作業で分離できる構成とする。【解決手段】乾燥剤容器のフランジに、フランジと連なって側方へ突出していて根元部で上方へ折れ曲がるように形成された突片からなる摘み部を設け、突片表面には乾燥剤容器の上面に貼られて容器開口を閉鎖するシートを貼着する。容器を廃棄するときは、主体容器の開口から指を入れて摘み部を摘み、そのまま上方に引き上げて乾燥剤容器を主体容器から分離させる。【選択図】図１
2005263227.tif 000002
【特許請求の範囲】
【請求項１】
食品が収納される蓋付きの主体容器と、乾燥剤が充填されたフランジ付きの乾燥剤容器からなり、主体容器内面に形成された位置決め部を乾燥剤容器の上面に係合させて乾燥剤容器を主体容器内底部に固定するように構成された食品包装容器において、
前記乾燥剤容器のフランジに上方へ突出する摘み部を設けたことを特徴とする食品包装容器。
【請求項２】
摘み部は、フランジと連なって側方へ突出していて根元部で上方へ折れ曲がるように形成された突片である請求項１に記載の食品包装容器。
【請求項３】
突片表面に乾燥剤容器の上面を閉鎖するシートが貼られてなる請求項２に記載の食品包装容器。
【請求項４】
食品が収納される蓋付きの主体容器と、乾燥剤が充填されたフランジ付きの乾燥剤容器からなり、主体容器内面に形成された位置決め部を乾燥剤容器の上面に係合させて乾燥剤容器を主体容器内底部に固定するように構成された食品包装容器において、
前記乾燥剤容器のフランジに指先程度の大きさの半円弧状の切り欠き部を設けたことを特徴とする食品包装容器。
【発明の詳細な説明】
【技術分野】
【０００１】
本発明は、焼海苔などの乾燥した食品の収納に適した包装容器の構造に関する。
【背景技術】
【０００２】
短冊状に裁断された焼海苔の包装容器として、プラスチック製の円筒状の主体容器の底部に乾燥剤が充填された皿状の乾燥剤容器を押し入れ、乾燥剤容器の上方空間に焼海苔を収納する構造のものが知られている（例えば特許文献１、２参照）。
【０００３】
【特許文献１】実公昭４６−２７６７４号公報
【特許文献２】特開２０００−７９９７３号公報
【発明の開示】
【発明が解決しようとする課題】
【０００４】
このような容器は、移送中に乾燥剤容器が主体容器内で傾いたり移動したりすると、焼海苔が折れたり砕けたりすることから、主体容器の底部内周を乾燥剤容器の上部周縁が一杯に嵌まる大きさに設けるとともに、主体容器の内面に位置決め部を設け、乾燥剤容器が主体容器の底部内周面に揺動不能にしっかりと固定されるようになっていた。
焼海苔を全て食べ、空の容器を廃棄するときには、主体容器と乾燥剤容器を分別する必要があるが、乾燥剤容器が主体容器の底部に隙間なく嵌まり、しかも主体容器の開口が広くなく、指先を容器内に入れ難いことと相俟って、両容器を分離させ難く、分離するために乾燥剤容器の周縁部に箸などを押し込んで容器を変形させるなどして、分離させる作業は手間を要するものであった。
【０００５】
本発明は従来技術の有するこのような問題点に鑑み、主体容器の底部にしっかりと嵌まった乾燥剤容器を簡易且つ確実に主体容器から取り出し、両容器を容易な作業で分離できるようにすることを課題とする。
【課題を解決するための手段】
【０００６】
前記課題を解決するため本発明の食品収納容器は、食品が収納される蓋付きの主体容器と、乾燥剤が充填されたフランジ付きの乾燥剤容器からなり、主体容器内面に形成された位置決め部を乾燥剤容器の上面に係合させて乾燥剤容器を主体容器内底部に固定するように構成されており、乾燥剤容器のフランジに上方へ突出する摘み部を設けたことを特徴としている。
これによれば、主体容器の開口から指を入れて摘み部を摘み、そのまま上方に引き上げれば、乾燥剤容器が主体容器の底部から浮き上がって位置決め部との係合が解除され、乾燥剤容器を主体容器から分離させることができる。
【０００７】
前記構成において、フランジと連なって側方へ突出していて根元部で上方へ折れ曲がるように形成された突片を摘み部とすることができる。
その場合、乾燥剤容器の上面に貼られて容器開口を閉鎖するシートを突片表面にも貼着してあることが好ましい。
突片はフランジに連なる根元部分に折れ筋を形成するなどして折れ曲がり自在に形成することができる。突片の表面にもシートが貼られていることで、突片が乾燥剤容器と一体であること、つまり主体容器内に収納された食品以外の異物ではないことを、一目で認識し把握することが可能となる。
【０００８】
また、乾燥剤容器のフランジに指先程度の大きさの半円弧状の切り欠き部を設けてもよい。
この場合、指先を切り欠き部に押し入れてフランジの周縁と主体容器内周との間を押し広げ、フランジの裏側にあてがった指先を上方へ折り曲げれば、乾燥剤容器を浮き上がらせて主体容器から分離させることができる。切り欠き部は、摘み部に代えて設けても、摘み部とともに設けてもよい。
【発明を実施するための最良の形態】
【０００９】
本発明の好適な一実施形態を図面を参照して説明する。
図１は本発明の食品包装容器の断面を示している。この食品包装容器１は、短冊状に裁断された焼海苔の包装に用いられるものであり、上面を開口した主体容器２と、その開口周面に取り付けて容器を密閉する蓋３と、乾燥剤が充填された乾燥剤容器４とから構成されている。
【００１０】
主体容器２は、底部２１の周囲から周壁２２を垂直に立ち上げて上部を開口部２３とした有底円筒形に形成されている。
詳しくは、主体容器２は、その上下で内径を異ならせ、底部２１の直ぐ上を大径の小容器収納空間部２４、その上方を小径の物品収納空間部２５とし、両空間部の境界に鉛直方向に沿って周壁２２が段違いとなる位置決め部２６を設けて形成してある。前記小容器収納空間部２４は乾燥剤容器４が略一杯に嵌まる大きさ、物品収納空間部２５は適宜な厚みに束ねた短冊形の焼海苔を立てて収納することができる大きさにそれぞれ設けてある。
【００１１】
乾燥剤容器４は、図２に示されるように、フランジ４１ａを有する皿状容器４１に乾燥剤４２を入れ、通気性及び透湿性を有するシート４３をフランジ４１ａに接着或いは熱融着し、シート４３で開口面を閉鎖して形成されている。
詳しくは、皿状容器４１は、そのフランジ４１ａの外径が前記小容器収納空間部２４の内径と略同じ寸法、その底面からフランジ４１ａに至る高さが主体容器２の底部２１の中心点から位置決め部２６までの高さと略同じ寸法に設けられており、乾燥剤容器４を主体容器２内に入れ底部２１上に載せた状態で、フランジ４１ａが小容器収納空間部２４の周壁面に当接し且つ位置決め部２６がフランジ４１ａと係合して、小容器収納空間部２４内に揺動不能に固定されるようになっている。
【００１２】
また、皿状容器４１の上縁には、フランジ４１ａと連なって側方へ適宜な長さ、例えば５〜１０ｍｍ程度の指先で摘める長さで突出していて、その根元部下面に形成された折れ筋４１ｃを軸として上方へ折れ曲がる突片４１ｂを設けてある。突片４１ｂの上面には接着或いは熱融着によってシート４３を一体に貼り合せてある。
図１に示されるように、この突片４１は、乾燥剤容器４を小容器収納空間部２４内に嵌め入れた状態で、折れ筋４１ｂから上方へ折れ曲がり、物品収納空間部２５内に突出するようになっている。
【００１３】
このように構成された本形態の食品包装容器１は、開口部２３から主体容器２内に入れた乾燥剤容器４を小容器収納空間部２４内に押し入れ固定させてから、乾燥剤容器４のシート４３上に、束ねた焼海苔を適宜な量載せ、開口部２３に蓋３を装着して容器内部を密閉することで焼海苔を包装し、そのまま移送、陳列などに供し、また、蓋２を開閉して焼海苔を取り出し保存することができる。
包装状態で、物品収納空間部２５には収納した焼海苔と上方へ突出した突片４１ｂが位置するが、容器内部を外から見たときに、突片４１ｂにはシート４３が貼られているので突片４１ｂが乾燥剤容器４の一部であることを容易に認識し把握することができるので、突片４１ｂを容器内に混入した異物のように見間違う虞はない。
【００１４】
食品包装容器１を廃棄するには、開口部２３から主体容器２内に指を入れて突片４１ｂを摘み、そのまま上方に引き上げれば、乾燥剤容器４上面と位置決め部２６との係合が簡単に外れて、乾燥剤容器４が主体容器２から分離する。そして、開口部２３から乾燥剤容器４を引き出して、乾燥剤容器４と主体容器２を分別して廃棄することが可能である。
なお、突片４１ｃは、手先で容易に摘める適宜な形状、幅、長さに設けることができ、また、フランジ４１ａの周囲に複数設けてもよい。
また、皿状容器４１の適宜な箇所に指先で把持可能な摘み部を設け、これを上方に突出させた状態で包装し、廃棄の際に摘み部を摘んで乾燥剤容器４を主体容器２から分離させるようにしてもよい。
【００１５】
図３は他の実施形態の乾燥剤容器４を示しており、これは、皿状容器４１のフランジ４１ａに指先程度の大きさの半円弧状の切り欠き部４１ｄを設け、容器廃棄の際に、主体容器２の開口部２３から入れた指先を切り欠き部４１ｄに押し入れて、フランジ４１ａの裏側にあてがった指先を上方へ折り曲げることにより、乾燥剤容器４と位置決め部２６との係合を外して主体容器２から分離させることができるように設けたものである。
切り欠き部４１ｄは、指先を挿入可能な適宜な形状、大きさに設けることができる。
【００１６】
なお、図示した形態は一例であり、本発明の食品包装容器は他の適宜な形態に設けることが可能である。また、焼海苔以外の食品は勿論、食品以外の物品、例えば乾燥状態で包装する必要がある物品などの包装にも利用可能である。
【図面の簡単な説明】
【００１７】
【図１】本発明の食品包装容器の一実施形態の横断面図である。
【図２】図１の容器で用いられる乾燥剤容器の要部を破断した平面図（Ａ）とその中央横断面図である。
【図３】他の実施形態で用いられる乾燥剤容器の平面図（Ａ）とその中央横断面図である。
【符号の説明】
【００１８】
１  食品包装容器、２  主体容器、２１  底部、２２  周壁、２３  開口部、２４  小容器収納空間部、２５  物品収納空間部、２６  位置決め部、３
蓋、４  乾燥剤容器、４１  皿状容器、４１ａ  フランジ、４１ｂ  突片、４１ｃ  折れ筋、４１ｄ  切り欠け部、４２  乾燥剤、４３  シート
【図１】
2005263227.tif 000003
【図２】
2005263227.tif 000004
【図３】
2005263227.tif 000005